(57)【特許請求の範囲】
【請求項１】
下記の成分Ａおよび成分Ｂを含有する潤滑油組成物であって、
前記成分Ａが、次の一般式（１）；
【化１】
0005396628.tif 000011
（式中、Ｒ1およびＲ2は、それぞれ脂肪族炭化水素基であり、互いに同一でも、または異なるものでもよく、Ｒ1の炭素数が１１〜１８であり、かつＲ1およびＲ2の炭素数の合計が１３〜２８である。）
で表される少なくとも一種のモノエステルであり、
前記成分Ｂが、１００℃における動粘度が２０〜３０００ｍｍ2／ｓの少なくとも一種の炭化水素系合成油であり、
前記成分Ａおよび前記成分Bの合計含有量の全重量基準で、
前記成分Ａの含有量が１〜９９重量％であり、前記成分Ｂの含有量が９９〜１重量％であって、
前記潤滑油組成物の引火点が１７０℃以上に制御されたことを特徴とする潤滑油組成物。
【請求項２】
前記成分Ａの一般式（１）において、Ｒ1の炭素数が１３〜１７であり、かつＲ1およびＲ2の炭素数の合計が１６〜２５である請求項１に記載の潤滑油組成物。
【請求項３】
前記成分Ａの一般式（１）において、Ｒ1およびＲ2の炭素数の合計が１３〜２８であり、かつＲ2の炭素数が２〜１７である請求項１に記載の潤滑油組成物。
【請求項４】
前記成分Ａの一般式（１）において、Ｒ1およびＲ2の炭素数の合計が１３〜２８であり、かつＲ2の炭素数が２〜１２である請求項３に記載の潤滑油組成物。
【請求項５】
前記成分Ａが、ラウリン酸２−エチルヘキシル、ミリスチン酸２−エチルヘキシル、ミリスチン酸イソプロピル、パルミチン酸２−エチルヘキシル、オレイン酸メチル、ステアリン酸ｎ−ブチル、およびステアリン酸２−エチルヘキシルからなる群より選択される少なくとも一種のモノエステルである請求項１に記載の潤滑油組成物。
【請求項６】
さらに、少なくとも一種の添加剤が配合されてなる請求項１に記載の潤滑油組成物。
【請求項７】
前記成分Ａおよび前記成分Bを含有する潤滑油組成物であって、トラクション係数が０．０２３以下であり、かつ引火点が１７０℃以上に制御された請求項１に記載の潤滑油組成物。
【請求項８】
１００℃における動粘度が２０〜３０００ｍｍ2／ｓであって、１７０℃以上の引火点を有する炭化水素系合成油からなる潤滑油組成物に対して一般式（１）；
【化１】
0005396628.tif 000012
（式中、Ｒ1およびＲ2は、それぞれ脂肪族炭化水素基であり、互いに同一でも、または異なるものでもよく、Ｒ1の炭素数が１１〜１８であり、かつＲ1およびＲ2の炭素数の合計が１３〜２８である。）
で表される少なくとも一種のモノエステルを、前記潤滑油組成物のトラクション係数の低下にとって有効量の範囲で混合することを特徴とする、炭化水素系合成油からなる潤滑油組成物のトラクション係数の低減方法。
【請求項９】
請求項１ないし７のいずれか一項の潤滑油組成物を自動車用歯車または工業用歯車の潤滑に用いることを特徴とする歯車機構の潤滑方法。
【発明の詳細な説明】
【技術分野】
【０００１】
本発明は、潤滑油組成物、特に低トラクション潤滑油組成物および潤滑油組成物のトラクション係数の低減方法に関するものであり、さらに、詳しくは、転がり軸受、歯車、カム等をはじめとする自動車用歯車および工業用歯車の歯車機構の潤滑に用いられる潤滑油組成物に関するものである。
【背景技術】
【０００２】
近年、地球温暖化対策が不可欠な状況下において、車両、その他の駆動系動力機関の環境保全対策として燃費節減効果の大きい環境対応型潤滑油の開発が強く要求されている。
かかる要求に対し、潤滑油による駆動系機械要素のエネルギー損失低減方法としては、潤滑油の低粘度化による撹拌抵抗の低減が図られてきており、また、摩擦調整剤の配合による金属間接触部位の摩擦低減化も行なわれている。
【０００３】
さらに、低トラクション化による弾性流体潤滑（Elastohydrodynamic lubrication、ＥＨＬ）の潤滑部位におけるエネルギーの損失低減が有効な手段とされている。トラクションは、転がり接触面に挟まれた油膜に作用するせん断力に対する潤滑油自体の抵抗であるから、かかる抵抗を制御できれば、ＥＨＬの潤滑部位におけるエネルギー損失も抑制可能と推定される。
【０００４】
かかるＥＨＬの潤滑部位でのエネルギー損失の低減による環境対応型潤滑油の前記の開発状況下にあって、低トラクションの潤滑油として、例えば、先行技術１（ＵＳ２００６／０１７８２７９Ａ１（以下「特許文献１」という））には、基油とトラクション低減材料との組合せにより調製された低トラクション潤滑油が開示されている。該特許文献１には、トラクション低減材料として低粘度の合成潤滑油基油と１価の脂肪酸エステルが記載されており、トラクション係数の低下効果が得られることは記載されている。
【０００５】
しかし、前記特許文献１に記載の潤滑油組成物には低粘度成分、すなわち、低分子量の潤滑油基油が存在するため、歯車機構等の高温条件下で使用する潤滑油に要求される十分高い引火点（例えば１７０℃以上）を得ることができない、という難点が包蔵されている。
【０００６】
また、エステルと高粘度の基油からなる潤滑油はすでに知られているが、従来の製品に含有されているエステルは、多塩基酸、または多価アルコールを原料として製造されるジエステルおよびトリエステルが主要なものであり、かかるエステルのトラクション係数は、それぞれ０．０３５および０．０４の高レベルであり、これらを用いたのでは低トラクション潤滑油を得ることができない。例えば、先行技術２（米国特許第４９５６１２２号明細書（以下、「特許文献２」という。）には、（ａ）１００℃動粘度が４０〜１００ｃＳｔのポリアルファオレフィン、（ｂ）１００℃動粘度が１〜１０ｃＳｔのポリアルファオレフィン、（ｃ）実質的に２価の脂肪酸エステル、および（ｄ）添加剤パッケージからなる潤滑油組成物が開示されているが、かかる潤滑油組成物は、粘度の低い、低分子量のポリアルファオレフィンを含有しているため、高い引火点は得られない。
【０００７】
また、先行技術３（特開昭６３−１３９１５０号公報（以下、「特許文献４」という。）にはエステル化合物潤滑剤として、Ｒ1−Ｃb−Ｒ2（Ｃｂは−Ｏ−ＣＯ−または−ＣＯ−Ｏ−のモノカルボキシル基）のＲ1がＣ4−Ｃ10第三級アルキル基、Ｒ2がＣ1−Ｃ20アルキル基またはＣ2−Ｃ20アルケニル基であるモノエステルが記載されている。
【０００８】
しかし、トラクション係数および引火点のいずれについても些かの開示もなく、また、示唆もない。
前記の如く、従来、低トラクション化による環境対応型潤滑油についてはほとんど提案されておらず、わずかに前記の特許文献１で提案されているが、そこで開示されている低トラクションを示す潤滑油基油は、引火点が低く、駆動油として、使用する場合に、特に高温条件下においては、実用上難点があり、使用に耐え得る低トラクション特性、かつ高引火点を有する潤滑油は開示されている状況にはなかった。
【特許文献１】米国公開第２００６／０１７８２７９号
【特許文献２】米国特許第４９５６１２２号明細書
【特許文献３】特開昭６３−１３９１５０号公報
【発明の開示】
【発明が解決しようとする課題】
【０００９】
従って、本発明の課題の第１は、前記の如き従前の低トラクション潤滑油の開発状況に鑑み、溶剤精製または水素化処理等による精製鉱油およびポリアルファオレフィン（以下「ＰＡＯ」ということがある。）およびエチレンアルファオレフィン共重合体（以下「ＥＡＯ」ということがある。）等の炭化水素系合成油のトラクション係数と比較してさらに低いトラクション係数を発現し、かつ引火点の高い潤滑油組成物を提供することにある。
【００１０】
また、課題の第２は、潤滑油基油として用いられるＰＡＯまたはＥＡＯ等の炭化水素系合成油からなる潤滑油組成物のトラクション係数の低減方法を提供することにある。
課題の第３は、ＰＡＯおよびＥＡＯ等の炭化水素系合成油を用いて高引火点かつ低トラクション係数を有する潤滑油組成物の製造方法を提供することにある。
【００１１】
また、課題の第４は、自動車用歯車または工業用歯車の潤滑においてエネルギー損失の抑制可能な歯車装置の潤滑方法を提供することにある。
【課題を解決するための手段】
【００１２】
そこで、本発明者らは、前記の本発明の課題を解決するため、鋭意検討を重ねた結果、前記ジエステルおよびトリエステルでは、低トラクション係数が得られない理由は、かかる化合物の構造的な障害が大きいことによるのではないかとの推定に基き、ジエステルおよびトリエステルに比較して構造的な障害が少ないと予測されるモノエステルに着目し、多数の実験を繰り返し、さらに検討を重ねた結果、モノエステルのトラクション係数はジエステルまたはトリエステルに比較して小さく、しかも炭化水素基の炭素数が特定範囲にあるモノエステルはトラクション係数が低く、かつ、引火点が高いことを見出し、これらの知見に基いて本発明を想到するに至った。
【００１３】
かくして、本発明によれば、
下記の成分Ａおよび成分Ｂを含有する潤滑油組成物であって、
前記成分Ａが、次の一般式（１）；
【００１４】
【化１】
0005396628.tif 000002
（式中、Ｒ1およびＲ2は、それぞれ炭化水素基であり、互いに同一でも、または異なるものでもよく、Ｒ1およびＲ2の炭素数の合計が１３〜２８である。）
で表される少なくとも一種のモノエステルであり、
前記成分Ｂが、１００℃における動粘度が２０〜３０００ｍｍ2／ｓの少なくとも一種の炭化水素系合成油であり、
前記成分Ａおよび前記成分Bの合計含有量全重量基準で、
前記成分Ａの含有量が１〜９９重量％であり、前記成分Ｂの含有量が９９〜１重量％であって、
前記潤滑油組成物の引火点が１７０℃以上に制御されたことを特徴とする潤滑油組成物が提供される。
【００１５】
また、本発明によれば、
１００℃における動粘度が２０〜３０００ｍｍ2／ｓであって、１７０℃以上の引火点を有する炭化水素系合成油からなる潤滑油組成物に対して、  一般式（１）；
【００１６】
【化２】
0005396628.tif 000003
（式中、Ｒ1およびＲ2は、それぞれ炭化水素基であり、互いに同一でも、または異なるものでもよく、Ｒ1およびＲ2の炭素数の合計が１３〜２８である。）
で表される少なくとも一種のモノエステルを前記炭化水素系合成油のトラクション係数にとって有効量混合することを特徴とする炭化水素系合成油からなる潤滑油組成物のトラクション係数の低減方法が提供される。
【００１７】
さらに、本発明によれば、
下記の成分Ａおよび成分Ｂを含有する潤滑油組成物であって、
前記成分Ａが、次の一般式（１）；
【００１８】
【化３】
0005396628.tif 000004
（式中、Ｒ1およびＲ2は、それぞれ炭化水素基であり、互いに同一でも、または異なるものでもよく、Ｒ1およびＲ2の炭素数の合計が１３〜２８である。）
で表される少なくとも一種のモノエステルであり、
前記成分Ｂが、１００℃における動粘度が２０〜３０００ｍｍ2／ｓの少なくとも一種の炭化水素系合成油であり、
前記成分Ａおよび前記成分Ｂの合計含有量全重量基準で、
前記成分Ａの含有量が１〜９９重量％であり、前記成分Ｂの含有量が９９〜１重量％であって、
前記潤滑油組成物の引火点が１７０℃以上に制御された潤滑油組成物を自動車用歯車または工業用歯車の潤滑に用いることを特徴とする歯車機構の潤滑方法が提供される。
【００１９】
本発明によれば、モノエステルおよび炭化水素系合成油からなり、さらに、必要に応じて配合された少なくとも一種の添加剤からなる潤滑油組成物が提供され、
また、炭化水素系合成油からなる潤滑油組成物にモノエステルを混合することにより、引火点のレベルの維持のもとにおける潤滑油組成物のトラクション係数の低減方法が提供され、
さらに、前記潤滑油組成物を用いる歯車装置の潤滑方法が提供されるが、さらに好ましい実施の態様として次に掲げるものを包含する。
【００２０】
なお、本明細書において、便宜上、モノエステルの炭化水素基Ｒ1の炭素数をＸ，Ｒ2の炭素数をＹと表示することがある。
１）前記モノエステルおよび炭化水素系合成油が潤滑油基油である前記潤滑油組成物。
２）前記モノエステルの合計炭素数（Ｘ＋Ｙ）が１４〜２５である前記潤滑油組成物。
３）前記モノエステルの合計炭素数（Ｘ＋Ｙ）が１４〜２５であり、かつＹが１〜１０で   ある前記潤滑油組成物。
４）前記炭化水素系合成油が、１００℃における動粘度２０〜２０００ｍｍ2／ｓのポリ アルファオレフィンである前記潤滑油組成物。
５）前記炭化水素系合成油が、１００℃における動粘度２０〜２０００ｍｍ2／ｓのエチレン−アルファオレフィン共重合体である前記潤滑油組成物      。
６）前記ポリアルファオレフィンの１００℃における動粘度が、４０〜１０００ｍｍ2／ｓである前記潤滑油組成物。
７）前記エチレン−ポリアルファオレフィン共重合体の１００℃における動粘度が４０〜２０００ｍｍ2／ｓである前記潤滑油組成物。
８）前記合計炭素数（Ｘ＋Ｙ）が１４〜２５のモノエステルと１００℃における動粘度２０〜２０００ｍｍ2／ｓのポリアルファオレフィンとからなる前記潤滑油組成物。
９）前記合計炭素数（Ｘ＋Ｙ）が１４〜２５のモノエステルと１００℃における動粘度２０〜２０００ｍｍ2／ｓのエチレン−アルファオレフィン共重合体とからなる前記潤滑油組成物。
１０）０．０２３を超えるトラクション係数を有する炭化水素系合成油からなる潤滑油組成物に対して、合計炭素数（Ｘ＋Ｙ）が１４〜２５のモノエステルを混合し、前記トラクション係数を０．０２３以下に低下させることからなる前記潤滑油組成物のトラクション係数の低減方法。
１１） １００℃における動粘度が４０〜２０００ｍｍ2／ｓであって、１７０℃以上の引火点および０．０２３を超えるトラクション係数を有する炭化水素系合成油からなる潤滑油組成物に合計炭素数（Ｘ＋Ｙ）が１４〜２５のモノエステルを混合し、引火点１７０℃以上でトラクション係数を０．０２３以下に低下させることからなる前記潤滑油組成物のトラクション係数の低減方法。
１２） 前記炭化水素系合成油からなる潤滑油組成物が、１００℃における動粘度が４０〜１０００ｍｍ2／ｓのポリアルファオレフィンまたは１００℃における動粘度が４０〜２０００ｍｍ2／ｓのエチレン−アルファオレフィン共重合体である前記潤滑油組成物のトラクション係数の低減方法。
１３） 前記トラクション係数の測定の条件が、周速度；３．１ｍ／ｓｅｃ平均ヘルツ圧；０．７ＧＰａ および油温；４０℃である前記潤滑油組成物のトラクション係数の低減方法。
１４） 前記自動車用歯車が、マニュアルトランスミッション（ＭＴ）、マニュアルトランスアクスル（ＭＴＸ）、終減速機デフの内部要素である歯車機構の潤滑方法。
【発明の効果】
【００２１】
本発明に係る潤滑油組成物は、前記の如く、特定の成分Ａおよび特定の成分Ｂからなり、または少なくとも一種の潤滑油用添加剤が配合されてなる場合、次の（１）および（２）の二律相反の性能を同時に満たすことができる、という著しく顕著な効果を奏する。
（１）鉱油およびＰＡＯ、ＥＡＯ等の炭化水素系合成油等のトラクション係数に比較してさらに低いトラクション係数を発現する。
（２）潤滑油組成物の引火点が１７０℃以上である。
また、かかる低トラクション潤滑油組成物は、自動車用ギヤ油として、手動変速機（マニュアルトランスミッション（ＭＴ）、マニュアルトランスアクスル（ＭＴＸ）、終減速機（デフ）において、円滑な作動に寄与することができ、また、省エネルギー型の工業用ギヤ油として、例えば、鉱鋼および金属工場の圧延設備の駆動関係においても効率よく用いることができる。
【００２２】
本発明によれば、トラクション係数が０．０２３を超えるポリアルファオレフィンまたはエチレン−アルファオレフィン共重合体等の炭化水素系合成油に、前記の特定のモノエステルを混合することにより、炭化水素系合成油のトラクション係数を著しく低減させることができる。
【００２３】
さらに、本発明によれば、特定の炭化水素系合成油と特定のモノエステルとを混合することにより、炭化水素系合成油単独、およびモノエステル単独のトラクション係数に比較してさらに低いトラクション係数を有し、かつ高い引火点を有する潤滑油組成物の簡便で効率的な製造方法を提供することができる。
【発明を実施するための最良の形態】
【００２４】
以下、本発明に係る潤滑油組成物の構成要素について詳細に説明する。
１．成分Ａ−モノエステル
本発明に係る潤滑油組成物の構成成分であるモノエステルは、一価カルボン酸と一価アルコールとから誘導されるエステルであり、次の一般式（１）；
【００２５】
【化５】
0005396628.tif 000005
で表される化合物を包含する。
【００２６】
前記一般式（１）において、Ｒ1およびＲ2は、それぞれ炭化水素基である。
Ｒ1とＲ2の炭化水素基は互いに同一でも、または異なるものでもよい。
また、Ｒ1およびＲ2の各炭化水素基の炭素数の合計炭素数（Ｘ＋Ｙ）が１３〜２８であり、好ましくは１４〜２５、さらに好ましくは１５〜２５である。合計炭素数（Ｘ＋Ｙ）を１３〜２８に制御したモノエステルを潤滑油組成物の構成成分として使用することにより、トラクション係数を０．０２３以下かつ引火点を１７０℃以上に制御された潤滑油組成物を提供できるのに対し、合計炭素数（Ｘ＋Ｙ）が１２以下では高い引火点が得られないという問題があり、一方、合計炭素数（Ｘ＋Ｙ）が２９以上では融点が高く、固体になりやすいので実用に供することが困難であるという難点が包蔵されている。
【００２７】
Ｒ1は炭化水素基であり、炭化水素基の炭素数（Ｘ）は１〜２７であり、低トラクション係数を有し、かつ高引火点の潤滑油組成物を実現する観点から実施例にも示すように、好ましくは６〜２０、さらに好ましくは７〜１８、最も好ましくは７〜１７である。
【００２８】
Ｒ2は炭化水素基であり、その炭素数が１〜２７であり、低トラクション係数および高引火点を実現する観点から好ましくは１〜２０、さらに好ましくは１〜１２、最も好ましくは１〜８である。
【００２９】
Ｒ1とＲ2の炭化水素基としては、好ましくは脂肪族炭化水素基であり、直鎖状または分岐状のいずれでもよい。また、飽和または不飽和炭化水素基のいずれでもよいが、Ｒ1およびＲ2の少なくとも一方が飽和で分岐のある脂肪族炭化水素基であることがさらに好ましい。
【００３０】
従って、一般式（１）において、Ｒ1およびＲ2の合計炭素数（Ｘ＋Ｙ）が１３〜２８のモノエステルは、Ｒ1が炭素数１〜２７の脂肪族炭化水素基であり、Ｒ2が炭素数１〜２７の脂肪酸炭化水素基である場合、例えば、下記記載の脂肪酸および脂肪族アルコールの群から選択して組み合せることにより合成することができる。
【００３１】
脂肪酸としては、エタン酸（酢酸）、プロパン酸（プロピオン酸）、ブタン酸（ブチル酸）、ペンタン酸（バレリアン酸）、ヘキサン酸（カプロン酸）、ヘプタン酸（エナント酸）、オクタン酸（カプリル酸）、ノナン酸（ペラルゴン酸）、デカン酸（カプリン酸）、ウンデカン酸（ウンデシル酸）、ドデカン酸（ラウリン酸）、トリデカン酸（トリデシル酸）、テトラデカン酸（ミリスチン酸）、ペンタデカン酸（ペンタデシル酸）、ヘキサデカン酸（パルミチン酸）、ヘプタデカン酸（マルガリン酸）、オクタデカン酸（ステアリン酸）、ノナデカン酸（ノナデシル酸）、イコサン酸（アラキジン酸）、ヘンイコサン酸、ドコサン酸（ベヘン酸）、トリコサン酸、テトラコサン酸（リグノセリン酸）、ペンタコサン酸、ヘキサコサン酸（セロチン酸）、ヘプタコサン酸、オクタコサン酸（センタン酸）、ノナコサン酸、およびこれらの不飽和酸およびこれらの分岐酸を挙げることができる。
不飽和酸としては、例えば、以下に例示する群から選択することができる。
【００３２】
２−プロペン酸、２−ブテン酸、３−ブテン酸、２−ペンテン酸、３−ペンテン酸、４−ペンテン酸、２−ヘキセン酸、３−ヘキセン酸、４−ヘキセン酸、５−ヘキセン酸、２−ヘプテン酸、５−ヘプテン酸、２−オクテン酸、３−オクテン酸、２−ノネン酸、３−ノネン酸、２−デセン酸、９−デセン酸、（カプロレイン酸）、９−ヘンデセン酸、２−ドデセン酸、２−トリデセン酸、４−テトラデセン酸、５−テトラデセン酸、９−テトラデセン酸、２−ペンタデセン酸、２−ヘキサデセン酸、７−ヘキサデセン酸、９−ヘキサデセン酸、２−ヘプタデセン酸、６−オクタデセン酸(cis)（ペトロセリン酸）、６−オクタデセン酸(trans)（ペトロセライジン酸）、９−オクタデセン酸(cis)(オレイン酸)、９−オクタデセン酸(trans)（エライジン酸）、１１−オクタデセン酸、９−イコセン酸、１１−ドコセン酸、１５−テトラコセン酸、１７−ヘキサコセン酸等およびこれらの直鎖不飽和酸に対応する分岐不飽和酸。
また、脂肪族アルコールとしては、メタノール、エタノール、プロパノール、１−ブタノール、１−ペンタノール、１−ヘキサノール、１−ヘプタノール、１−オクタノール（カプリリル）、１−ノナノール（ノニル）、１−デカノール（カプリル）、１−ウンデカノール、１−ドデカノール（ラウリル）、１−トリデカノール、１−テトラデカノール（ミリスチル）、１−ペンタデカノール、１−ヘキサデカノール（セチル）、１−ヘプタデカノール、１−オクタデカノール（ステアリル）、１−ノナデカノール、１−イコサノール（アラキニル）、１−ヘンイエサノール、１−ドコサノール、１−トリコサノール、１−テトラコサノール、１−ペンタコサノール、１−ヘキサコサノール、１−ヘプタコサノール、１−オクタコサノール、１−ノナコサノールおよびこれらの不飽和アルコールおよびこれらの分岐アルコールを挙げることができる。
【００３３】
成分Ａとして好適なモノエステルは、前記の脂肪酸と脂肪族アルコールとのエステルのなかから選択されたＲ1の炭素数６〜１７の脂肪酸とＲ2の炭素数１〜８の脂肪族アルコールとの組合せからなるモノエステルであり、具体的には、次に記載のものを示すことができる。
【００３４】
オレイン酸メチル、オレイン酸エチル、オレイン酸プロピル、オレイン酸ブチル、オレイン酸ペンチル、オレイン酸ヘキシル、オレイン酸ヘプチル、オレイン酸オクチル、カプリル酸オクチル、ペラルゴン酸オクチル、カプリン酸オクチル、ラウリン酸ブチル、ラウリン酸オクチル、ミリスチン酸プロピル、ミリスチン酸オクチル、パルミチン酸ブチル、パルミチン酸オクチル、ステアリン酸ブチル、ステアリン酸オクチルおよびこれらのＲ1、Ｒ2の一方あるいは両方が分岐しているものを挙げることができる。
【００３５】
本発明に係る潤滑油組成物にとって、特に好適なモノエステルとしては、次に挙げるものを例示することができる。
カプリル酸２−エチルヘキシル          （C7）COO（C8）（Ｘ+Ｙ=15）
ペラルゴン酸２−エチルヘキシル        （C8）COO（C8）（Ｘ+Ｙ=16）
カプリン酸２−エチルヘキシル          （C9）COO（C8）（Ｘ+Ｙ=17）
ラウリン酸２−エチルヘキシル          （C11）COO（C8）（Ｘ+Ｙ=19）
ミリスチン酸２−エチルヘキシル        （C13）COO（C8）（Ｘ+Ｙ=21）
ミリスチン酸イソプロピル              （C13）COO（C3）（Ｘ+Ｙ=16）
パルミチン酸２−エチルヘキシル        （C15）COO（C8）（Ｘ+Ｙ=23）
オレイン酸メチル                      （C17）COO（C1）（Ｘ+Ｙ=18）
オレイン酸イソブチル                  （C17）COO（C4）（Ｘ+Ｙ=21）
ステアリン酸ｎ−ブチル                （C17）COO（C4）（Ｘ+Ｙ=21）
ステアリン酸２−エチルヘキシル        （C17）COO（C8）（Ｘ+Ｙ=25）
最も好適なモノエステルは、合計炭素数１５〜２５のものであり、具体的には、ミリスチン酸−エチルヘキシル、パルミチン酸２−エチルヘキシル、ステアリン酸２−エチルヘキシルおよびオレイン酸イソブチル等を挙げることができる。
【００３６】
なお、前記のモノエステルは二種以上の混合物として使用することもでき、二種以上のエステルが混合物として用いられる場合、前記潤滑油組成物の説明において、一般式（１）のＲ1およびＲ2の炭素数は、各平均値を意味するものとする。
【００３７】
また、本発明に係る潤滑油組成物の成分Ａの配合量は、成分Ａと成分Ｂの合計含有量を１として、１〜９９％、好ましくは５〜９５％、さらに好ましい配合量は１５〜９５％である。
２．成分Ｂ−炭化水素系合成油
本発明に係る潤滑油組成物の基油の構成成分である炭化水素系合成油としては、次に挙げる炭化水素系重合体および炭化水素系共重合体の群より選択することができる。かかる重合体および共重合体は、後述するように低粘度から高粘度にわたる広範囲のものを含み、オリゴマー、コオリゴマーを選択することもできる。
（１）ポリアルファオレフィン（ＰＡＯ）；
炭化水素系合成油の具体例であるポリアルファオレフィンとしては、例えば、ポリ（１−ヘキセン）、ポリ（１−オクテン）、ポリ（１−デセン）等およびこれらの混合物を挙げることができる。具体例としては、前記の１−ヘキセン、１−オクテン、１−デセン等の炭素数６〜１２のアルファオレフィンの単独重合体または混合モノマーの共重合体を挙げることができ、１００℃における動粘度として２０〜２０００ｍｍ2／ｓ、特に２０〜１０００ｍｍ2／ｓのものを使用することができる。なお、かかるポリアルファオレフィンのオレフィンモノマーは、ここに記載のものに限定されるものではなく、通常、Ｃ4〜Ｃ10のアルファオレフィンを単独または混合したものが重合原料として用いられる。
（２）エチレン−アルファオレフィン共重合体（ＥＡＯ）
エチレン−アルファオレフィン共重合体としては、例えば、エチレンと炭素数３〜２０のアルファオレフィンとの共重合体、具体的には、エチレンとプロピレン、１−ブテン、１−ヘキセン、１−オクテン、１−デセン等のアルファオレフィンの一種または二種以上の混合物との液状共重合体を挙げることができる。
【００３８】
エチレンとアルファオレフィンとの液状共重合体としては、市場で提供される１００℃動粘度が１０ｍｍ2／ｓ、２０ｍｍ2／ｓ、４０ｍｍ2／ｓ、１００ｍｍ2／ｓ、１５０ｍｍ2／ｓ、６００ｍｍ2／ｓ、２０００ｍｍ2／ｓ等の粘度グレードのものを選択して使用することができる。かかる液状重合体は、数平均分子量（Ｍｎ）としては、６５０〜３６００のものが好ましい。
本発明において、炭化水素系合成油の１００℃における動粘度は２０〜３０００ｍｍ2／ｓであり、好ましくは２５〜２５００ｍｍ2／ｓ、さらに好ましくは４０〜２０００ｍｍ2／ｓである。１００℃動粘度が２０ｍｍ2／ｓに達しないか、または、３０００ｍｍ2／ｓを超えると、これを構成成分とする潤滑油組成物のトラクション係数が０．０２３を超えるので目的とする潤滑油組成物を提供することができない。
【００３９】
かかる成分Ｂの配合量は、前記成分Ａと成分Ｂの合計含有量を１として、９９〜１％、好ましくは９５〜５％であり、さらに好ましい配合量は８５〜５％である。
３．潤滑油用添加剤
本発明に係る潤滑油組成物には、用途により、要求される性能に応じて、本発明の目的を阻害しない限りにおいて、酸化防止剤、金属清浄剤、無灰分散剤、流動点降下剤、粘度指数向上剤、極圧剤、耐摩耗剤、油性剤、消泡剤、防錆剤、金属不活性化剤等からなる群より選択される少なくとも一種の潤滑油用添加剤を配合することができる。
【００４０】
具体的には、
酸化防止剤としては、一般にアルキル化ジフェニルアミン、フェニル−α−ナフチルアミン、アルキル化フェニル−α−ナフチルアミン等のアミン系酸化防止剤、２，６−ジ−ｔ−ブチルフェノール、４，４'−メチレンビス（２，６−ジ−ｔ−ブチルフェノール）、イソオクチル−３−（３，５−ジ−ｔ−ブチル−４−ヒドロキシフェニル）プロピオネート等のフェノール系酸化防止剤、ジラウリル−３，３'−チオジプロピオネイト等の硫黄系酸化防止剤、ホスファイト等のリン系酸化防止剤、モリブデン系酸化防止剤、さらにジチオリン酸亜鉛等が挙げられ、特に、アミン系酸化防止剤、フェノール系酸化防止剤およびこれらの組合せが好ましく用いられる。これらは、通常０．０４〜１重量％の割合で使用される。
金属清浄剤としては、アルカリ土類金属スルホネート、アルカリ土類金属サリシレート、アルカリ土類金属フェネートのいずれかまたはこれらの混合物が用いられる。アルカリ土類金属スルホネートは、長鎖アルキルベンゼン、アルキルナフタレン等のスルホン酸のアルカリ土類金属塩である。
【００４１】
アルカリ土類金属サリシレートは、アルキルサリチル酸または硫化アルキルサリチル酸のアルカリ土類金属塩である。
また、アルカリ土類金属フェネートは、アルキルフェノールまたは硫化アルキルフェノールのアルカリ土類金属塩である。
前記スルホネート、サリシレートおよびフェネートのアルカリ土類金属としては、カルシウム、マグネシウム、バリウム等が挙げられる。また、これらのアルカリ土類金属塩は、中性塩または塩基性塩または過塩基性塩いずれでもよい。
無灰分散剤としては、コハク酸イミド、コハク酸アミド、ベンジルアミン、コハク酸エステル、コハク酸エステル−アミド等を含有する添加剤等が挙げられるが、コハク酸イミド系が好ましく用いられる。
前記の金属清浄剤と無灰分散剤を合計量として０．２〜１０重量％の割合で使用される。
【００４２】
流動点降下剤としては、一般にエチレン−酢酸ビニル共重合体、塩素化パラフィンとナフタレンとの縮合物、塩素化パラフィンとフェノールとの縮合物、ポリメタクリレート、ポリアルキルスチレン等が挙げられ、特に、ポリメタアクリレートが好ましく用いられる。これらは、通常０．０２〜５重量％の割合で使用される。
粘度指数向上剤としては、一般にポリメタアクリレート、分散型ポリメタアクリレート、オレフィンコポリマー（ポリイソブチレン、エチレン−プロピレン共重合体）、分散型オレフィンコポリマー、ポリアルキルスチレン、スチレン−ブタジエン水添共重合体、スチレン−無水マレイン酸エステル共重合体、星状イソプレン等が挙げられるが、オレフィンコポリマー（ポリイソブチレン、エチレン−プロピレン共重合体）が好ましく用いられる。特にポリイソブチレンやエチレン−プロピレン共重合体の分子量としては、重量平均分子量で１０万以上（ＧＰＣ分析においてポリスチレン換算量）のものが特に好ましく用いられる。分散型オレフィンコポリマーとは、分子中に酸素または窒素を含有しているものである。これらは、通常０．０１〜３０重量％の割合で使用される。
極圧剤としては、一般に無灰系サルファイド化合物、硫化油脂、リン酸エステル、亜リン酸エステル、リン酸エステルアミン塩等が挙げられる。
特に、歯車機構の潤滑に用いられる潤滑油組成物には、耐荷重能が要求されることから、硫黄系添加剤、例えば、炭化水素サルファイド化合物が用いられる。
摩耗防止剤としては、一般にジチオリン酸亜鉛、ジチオリン酸金属塩（Ｓｂ，Ｍｏなど）、ジチオカルバミン酸金属塩（Ｚｎ，Ｓｂ，Ｍｏなど）、ナフテン酸金属塩、脂肪酸金属塩、ホウ素化合物、リン酸エステル、亜リン酸エステル、リン酸エステルアミン塩、リン酸金属塩、リン酸エステル金属塩、亜リン酸エステル金属塩等が挙げられる。特にジアルキルジチオリン酸亜鉛が好ましい。極圧剤と摩耗防止剤と合せて１〜１５重量％の割合で使用される。
消泡剤としては、例えば、ジメチルポリシロキサン、ポリアクリレート等が挙げられ、通常極く少量、例えば５〜１００ｐｐｍ程度添加される。
防錆剤としては、例えば、脂肪酸、アルケニルコハク酸ハーフエステル、脂肪酸セッケン、アルキルスルホン酸塩、多価アルコール脂肪酸エステル、脂肪酸アミン、酸化パラフィン、アルキルポリオキシエチレンエーテル等が挙げられ、これらは、通常０．０５〜１重量％の割合で使用される。
金属不活性化剤としては、例えば、ベンゾトリアゾール、トリアゾール誘導体、ベンゾトリアゾール誘導体、チアジアゾール、チアジアゾール誘導体等が挙げられ、これらは０．０２〜１重量％の割合で使用される。
添加剤全量の配合量は、潤滑油組成物全重量基準で５０％以下、好ましくは３０％以下、さらに好ましくは２０％以下に調整される。
【００４３】
また、前記の如き添加剤は、各種添加剤を組み合せた添加剤パッケージを使用することもできる。
４．潤滑油組成物
本発明に係る潤滑油組成物は、前記成分Ａと前記成分Ｂとからなり、必要に応じて配合された少なくとも一種の潤滑油添加剤とからなるものである。添加剤としては潤滑油の用途に応じて構成された添加剤のパッケージを使用することができる。
【００４４】
潤滑油組成物の引火点は、１７０℃以上、好ましくは１７５℃以上である。
また、トラクション係数は０．０２３以下であり、好ましくは０．０２２以下である。さらに好ましくは０．０２０以下である。トラクション係数が０．０２３を超えるとギヤおよびベアリング等において抵抗が高くなり、エネルギー損失が大きくなり、燃費が低下するという問題が生じ、環境対応型潤滑油を提供することができない。
本発明に係る潤滑油組成物は、低トラクションで、高引火点の特性を有することから自動車の歯車機構、例えば、手動変速機（マニュアルトランスミッション、ＭＴ）、終減速機（ディファレンシャル、デフ）、ミッションとデフを一体化したマニュアルトランスアクスル（Manual Transaxle, MTX）等に用いることができ、ＭＴのヘリカルギヤ、デフのハイポイドギヤの荷重のかかる潤滑においても、エネルギー損失を低減することができる。
【００４５】
４０℃における動粘度（ＫＶ値（４０））の範囲は、１３〜２００ｍｍ2／ｓであり、好ましくは１５〜９０ｍｍ2／ｓである。かかる動粘度が１３ｍｍ2／ｓより低いと、油膜切れを起こすおそれがあるため、かかる潤滑油組成物は実用には供し得ない。
５．トラクション係数の低減方法
本発明に係る潤滑油組成物のトラクション係数の低減方法は、ポリアルファオレフィンまたはエチレン−アルファオレフィン共重合体からなる潤滑油組成物に、前記モノエステルを有効量混合することからなるものである。
前記ポリアルファオレフィンまたはエチレン−アルファオレフィン共重合体は１００℃における動粘度が２０〜３０００ｍｍ2／ｓの範囲のものであり、好ましくは２０〜２０００ｍｍ2／ｓ、さらに好ましくは４０〜２０００ｍｍ2／ｓのものである。
【００４６】
かかる炭化水素系合成油のトラクション係数は０．０２３を超えるものであるが、前記モノエステルの混合により引火点を１７０℃未満に低下させることなく、トラクション係数を０．０２３以下に低減させることができる。
潤滑油組成物のトラクション係数の低減方法に用いられる前記モノエステルとしては、合計炭素数（Ｘ＋Ｙ）が１３〜２８のものである。かかるモノエステルの混合における有効量は、１〜９９重量％、好ましくは５〜９５重量％、さらに好ましくは１５〜９５重量％の範囲で採用される。
【００４７】
本発明におけるトラクション係数の低減方法において１００℃動粘度が１００〜１５０ｍｍ2／ｓの炭化水素系合成油に合計炭素数（Ｘ＋Ｙ）が１４〜２５、さらに好ましくは１８〜２５のモノエステルを混合することが、潤滑油組成物のトラクション係数が炭化水素系合成油およびモノエステルの各々のトラクション係数よりも低下する点で特に好適である。
【実施例】
【００４８】
次に、本発明について、実施例および比較例によりさらに具体的に説明する。もっとも本発明は、これらの実施例等により限定されるものではない。
なお、実施例および比較例において用いた各潤滑油基油、添加剤、潤滑油組成物およびそれらの粘度性状および性能評価としてトラクション係数および引火点を下記記載の方法により測定した。
【００４９】
また、実施例、比較例において、「％」は重量％を示す。
１．潤滑油基油
（１）成分Ａ−モノエステル
【００５０】
【表１】
0005396628.tif 000006
【００５１】
【表２】
0005396628.tif 000007
（３）成分Ｃ−ジエステル等
【００５２】
【表３】
0005396628.tif 000008
２．添加剤
市販ギヤ油用添加剤パッケージ
（１）市販ＭＴ油用添加剤パッケージ  Ｄ1
（２）市販デフ油用添加剤パッケージ  Ｄ2
３．評価方法
（１）最大トラクション係数の測定方法
四円筒型トラクション試験機を用いて次の条件で測定した。
【００５３】
周速度；３．１m/sec
平均ヘルツ圧；０．７ＧＰａ
油温  ；４０℃
（２）引火点
ＡＳＴＭ  Ｄ９２準拠
実施例１
成分Ａ（以下、「モノエステル」という。）として、表１に示す合計炭素数（Ｘ＋Ｙ）＝１６のミリスチン酸イソプロピルＡ1４９．２％と、成分Ｂ（以下、「炭化水素系合成油」という。）として、表２に示す選択したポリアルファオレフィンＢ2５０．８％の試作油を調製した。
【００５４】
各試作油の４０℃動粘度が２６．７ｍｍ2／ｓであり、トラクション係数；０．０２２、引火点；１７２℃の充足した結果を得た。
実施例２
実施例１と同様に、合計炭素数（Ｘ＋Ｙ）＝１６のミリスチン酸イソプロピルＡ1を使用し、実施例１で使用したポリアルファオレフィンＢ2の代わりにエチレン−アルファオレフィンコオリゴマーＢ10を使用し、表４に示す割合で試作油を調製した。
【００５５】
試作油の粘度性状および評価結果を表４に示す。
実施例３〜５
モノエステルとして、Ｘ＋Ｙ＝１６のミリスチン酸イソプロピルＡ1と、炭化水素系合成油として、選択したポリアルファオレフィンＢ2、ポリアルファオレフィンＢ3、エチレン−アルファオレフィンコオリゴマーＢ10とそれぞれ混合し、さらに添加剤パッケージＤ1を配合し、表４に示す割合の試作油を調製した。
【００５６】
各試作油の粘度性状および性能評価の結果を同表に示す。
実施例６〜９
モノエステルとして、Ｘ＋Ｙ＝１８のオレイン酸メチルＡ2を使用し、炭化水素系合成油として、ポリアルファオレフィンＢ2、ポリアルファオレフィンＢ4、ポリアルファオレフィンＢ6、エチレン−ポリアルファオレフィンコオリゴマーＢ10をそれぞれ使用し、表４に示す割合の試作油を調製した。
【００５７】
各試作油の粘度性状および性能評価の結果を同表に示す。
実施例１０〜１８
モノエステルとして、Ｘ＋Ｙ＝１８のオレイン酸メチルＡ2を、表４に示す割合で、炭化水素系合成油として、選択したポリアルファオレフィンＢ2、ポリアルファオレフィンＢ3、ポリアルファオレフィンＢ4、ポリアルファオレフィンＢ5、ポリアルファオレフィンＢ6、エチレン−アルファオレフィンコオリゴマーＢ7、エチレン−アルファオレフィンコオリゴマーＢ10とそれぞれ混合した後、添加剤パッケージＤ1を配合し、試作油を調製した。
【００５８】
なお、実施例１４においては、添加剤パッケージＤ1の代わりに添加剤パッケージＤ2を使用した。
実施例１９
モノエステルとして、Ｘ＋Ｙ＝２１のステアリン酸ｎ−ブチルＡ3を、表４に示す割合で、炭化水素系合成油として、選択したポリアルファオレフィンＢ3を混合した後、これに添加剤パッケージＤ1を配合し、試作油を調製した。
【００５９】
試作油の粘度性状および性能評価の結果を同表に示す。
実施例２０
モノエステルとして、Ｘ＋Ｙ＝２１のオレイン酸イソブチルＡ4を、表４に示す割合で、炭化水素系合成油として、選択したポリアルファオレフィンＢ3と混合した後、これに添加剤パッケージＤ1を配合し、試作油を調製した。
【００６０】
試作油の粘度性状、性能評価の結果を同表に示す。
実施例２１
モノエステルとして、Ｘ＋Ｙ＝２３のステアリン酸２−エチルヘキシルＡ5を、表４に示す割合で、炭化水素系合成油として選択したポリアルファオレフィンＢ3と混合した後、添加剤パッケージＤ1を配合し、試作油を調製した。
【００６１】
試作油の粘度性状および性能評価の結果を同表に示す。
実施例２２〜２３
モノエステルとして、Ｘ＋Ｙ＝２５のステアリン酸２−エチルヘキシルＡ6を、表４に示す割合で、炭化水素系合成油として、選択したポリアルファオレフィンＢ2、エチレン−アルファオレフィンコオリゴマーＢ10とそれぞれ混合し、試作油を調製した。
【００６２】
各試作油の粘度性状および性能評価の結果を同表に示す。
実施例２４〜２６
モノエステルとして、Ｘ＋Ｙ＝２５のステアリン酸２−エチルヘキシルＡ6を、表１に示す割合で、炭化水素系合成油として、選択したポリアルファオレフィンＢ2，ポリアルファオレフィンＢ3，エチレン−アルファオレフィンコオリゴマーＢ10とそれぞれ混合した後、添加剤パッケージＤ1を配合し、試作油を調製した。
【００６３】
各試作油の粘度性状および性能評価の結果を同表に示す。
比較例１
モノエステルとして、Ｘ＋Ｙ＝２３のパルミチン酸２−エチルヘキシルＡ5のみからなる試作油を調製した。試作油を粘度性状の測定および性能評価に供したところ、表５に示す結果を得た。
比較例２
炭化水素系合成油として選択したポリアルファオレフィンＢ3のみからなる試作油を調製した。試作油を粘度性状の測定および性能評価に供したところ、表５に示す結果を得た。
【００６４】
比較例１のモノエステル、比較例２のポリアルファオレフィンのみではトラクション係数が高く、本発明の範囲を逸脱するものであった。
また、４０℃動粘度が著しく大きいか、または著しく小さいものであった。
比較例３
モノエステルとして、Ｘ＋Ｙ＝１６のミリスチン酸イソプロピルＡ1を、表５に示す割合で、炭化水素系合成油として選択したポリアルファオレフィンＢ1と混合し、試作油を調製した。
【００６５】
試作油の粘度性状および性能評価の結果を表５に示す。前記モノエステルのＸ＋Ｙが本発明の範囲内のものであっても、炭化水素系合成油が本発明の範囲を逸脱することにより、試作油の性能が著しく低下することが示されている。
比較例４
モノエステルとして、Ｘ＋Ｙ＝１２のラウリン酸メチルＡ7と、炭化水素系合成油として選択したポリアルファオレフィンＢ4を使用し、表５に示す割合の試作油を調製した。
【００６６】
試作油の粘度性状および性能評価の結果を表５に示す。表５によれば、試作油の４０℃動粘度の低下はみられなかったが、トラクション係数が低下したものの引火点も低下した。
【００６７】
比較例５〜１０
モノエステルとして、Ｘ＋Ｙ＝１２のラウリン酸メチルＡ7を、炭化水素系合成油として選択したポリアルファオレフィンＢ1，ポリアルファオレフィンＢ2，ポリアルファオレフィンＢ3，ポリアルファオレフィンＢ4，ポリアルファオレフィンＢ5，ポリアルファオレフィンＢ6と表５に示す割合で、それぞれ混合した後、添加剤パッケージＤ1を配合し、試作油を調製した。
【００６８】
各試作油の粘度性状および性能評価の結果を同表に示す。
比較例１１
モノエステルとして、Ｘ＋Ｙ＝２５のステアリン酸２−エチルヘキシルＡ6に添加剤パッケージＤ1を配合し、試作油を調製した。
【００６９】
試作油の粘度性状および性能評価の結果を表５に示す。
モノエステル単独ではトラクション係数が高く、本発明の範囲を逸脱しているが、後述するように、炭化水素系合成油との混合による混合効果が顕著であり、混合用成分として有用である。
【００７０】
比較例１２
ステアリン酸２−エチルヘキシルＡ6（Ｘ＋Ｙ＝２５）を、表５に示す割合で、ポリアルファオレフィンＢ1と混合した後、添加剤パッケージＤ1を配合し、試作油を調製した。
【００７１】
試作油の粘度性状および性能評価の結果を表５に示す。
比較例１３
表５に示すように、炭化水素系合成油として選択したポリアルファオレフィンＢ1に添加剤パッケージＤ1を配合して試作油を調製した。
【００７２】
試作油の粘度性状および性能評価の結果を同表に示す。
比較例１４
モノエステルとして、Ｘ＋Ｙ＝２９のステアリン酸ｎ−ドシデルＡ8を、表５に示す割合で、炭化水素系合成油として選択したポリアルファオレフィンＢ3と混合した後、添加剤パッケージＤ1を配合したが、ステアリン酸ｎ−ドシデルＡ8が、Ｘ＋Ｙ＝２９では固体状態となり、分離してしまい、潤滑油として使用することができなかった。
【００７３】
比較例１５〜１６
表５で示すように、成分Ａのモノエステルと成分Ｂの炭化水素系合成油と成分Ｃの１００℃動粘度２ｍｍ2／ｓのポリアルファオレフィンとの三成分（比較例１５）または成分Ａのモノエステルと成分Ｃの１００℃動粘度２ｍｍ2／ｓのポリアルファオレフィンとの二成分（比較例１６）の混合油に、それぞれ添加剤パッケージＤ1を配合して試作油を調製した。
比較例１７
表５で示すように、ポリアルファオレフィンＢ2とアジピン酸ジイソデシルＣ2の混合油に、添加剤パッケージＤ1を配合して試作油を調製した。
【００７４】
試作油の粘度性状および性能評価の結果を同表に示す。
比較例１５〜１７により得られた試作油の性能評価の結果、前記低粘度のポリアルファオレフィンを含有する三成分系では引火点が低下し、また、モノエステルと前記低粘度のポリアルファオレフィンとでは４０℃動粘度が低下し、本発明の目的とする潤滑油としての機能を欠如することがわかった。
【００７５】
さらに、ジエステルはトラクション係数を著しく上昇させることが示されている。
【００７６】
【表４】
0005396628.tif 000009
【表５】
0005396628.tif 000010
【００７７】
これらの結果から、成分Ａとしてモノエステル、成分Ｂとしてポリアルファオレフィンまたはエチレン−アルファオレフィンからなる炭化水素系  合成油を用いることにより調製した潤滑油組成物についてトラクション係数０．０２３以下、引火点１７０℃以上を性能基準として観察すると、次の事実が判明し、本発明の特異性が明らかになった。
【００７８】
１．合計炭素数（Ｘ＋Ｙ）が１３〜２８の範囲内にあるモノエステルを１００℃動粘度が２０〜２０００ｍｍ2／ｓの範囲内のポリアルファオレフィンまたはエチレン−アルファオレフィンコオリゴマーと組み合せることにより低トラクション係数を有し、かつ高引火点の潤滑油組成物を提供することができる（実施例１〜２６）。
【００７９】
２．前記合計炭素数（Ｘ＋Ｙ）が２１と２５の１３〜２８の範囲内にある２種のモノエステルを１００℃動粘度が１００ｍｍ2／ｓのポリアルファオレフィンとそれぞれ混合することにより得られた混合油のトラクション係数は、該混合油を構成する前記モノエステル、または前記ポリアルファオレフィンのいずれのトラクション係数に比較しても低くなる、という次の結果が示された。
【００８０】
トラクション係数 引火点(℃) KV40(mm2/s)
比較例11；ステアリン酸2-エチルヘキシルＡ6    0.024      226          12.2
比較例2 ；ホリアルファオレフィンＢ3          0.025      296          1292
実施例25     Ａ6／Ｂ3 0.020      230          28.0 
比較例1 ；パルミチン酸2-エチルヘキシルＡ5    0.027      211           8.4
比較例2 ；ポリアルファオレフィンＢ3          0.025      296          1292
実施例21     Ａ5／Ｂ3 0.021      216          27.7
３．前記合計炭素数（Ｘ＋Ｙ）が１３〜２８の範囲内にあるモノエステルであっても、１００℃動粘度が２０ｍｍ2／ｓ未満のポリアルファオレフィンと組み合せた場合、トラクション係数はほとんど低下せず、また、低下しても相乗的な効果は見られない、という結果が得られた（比較例１１〜１３）。
【００８１】
例えば、合計炭素数（Ｘ＋Ｙ＝２５）のモノエステルと１００℃における動粘度が６ｍｍ2／ｓのポリアルファオレフィンとの混合油が次に示すように、トラクション係数の低減において混合効果が得られなかった。
トラクション係数 引火点(℃) KV40(mm2/s)
比較例11；ステアリン酸2-エチルヘキシルＡ6  0.024      226         12.2
比較例13；ポリアルファオレフィンＢ1         0.027      244         34.6
比較例12      Ａ6／Ｂ1 0.025      256         27.5
４．前記合計炭素数（Ｘ＋Ｙ）が１３に達しないモノエステルは、炭化水素系合成油の粘度の如何に拘らず、トラクション係数と引火点の両者またはいずれかを満たすことができない（比較例４〜１０）。
【００８２】
５．ＤＩＤＡで代表するジエステルを用い、ポリアルファオレフィンと混合した場合、モノエステルを用いた場合とは異なり、前記第２項で示したような混合効果はなく、ポリアルファオレフィンとの混合油は、トラクション係数が著しく高く、本発明が目的とする低トラクション／高引火点の潤滑油組成物を実現することができなかった。（比較例１７）。かかる結果からも特定のモノエステルが特異性を有することが鮮明になった。